(57)【要約】【課題】表示装置の動作状態に基づいて、光送信部又は光受信部の消費電力を低減することができる信号伝送装置、信号送信装置及び信号受信装置を提供する。【解決手段】信号伝送装置１は、第１のホストコンピュータ４Ａから入力された画像電気信号を画像光信号に変換して光ファイバ１０を介して送信する送信モジュール２と、送信モジュール２から送信された画像光信号を受信し、その受信した画像光信号を画像電気信号に変換して画像表示装置５に出力する受信モジュール３とからなる。受信モジュール３は、画像表示装置５の動作状態を示す動作状態信号に基づいて、送信モジュール２及び受信モジュール３の少なくとも一方への供給電力を制御する電力モード制御部３８を備える。【選択図】図３
2009177600.tif 000002
【特許請求の範囲】
【請求項１】
上位装置から入力された画像電気信号を画像光信号に変換して光伝送路を介して送信する光送信部と、
前記光伝送路を介して前記光送信部から送信された前記画像光信号を受信し、その受信した画像光信号を画像電気信号に変換して表示装置に出力する光受信部と、
前記表示装置の動作状態を示す動作状態信号に基づいて、前記光送信部及び前記光受信部の少なくとも一方への供給電力を制御する制御部とを備えた信号伝送装置。
【請求項２】
前記制御部は、前記光受信部に設けられた受信側制御部であり、
前記受信側制御部は、前記動作状態信号に基づいて、前記光受信部への供給電力を制御するとともに、前記供給電力を制御する電力制御信号を電気伝送路を介して前記光送信部に送信し、
前記光送信部は、前記電力制御信号に基づいて、前記光送信部への供給電力を制御する送信側制御部を有する請求項１に記載の信号伝送装置。
【請求項３】
前記制御部は、前記光送信部に設けられた送信側制御部であり、
前記送信側制御部は、前記動作状態信号に基づいて、前記光送信部への供給電力を制御するとともに、前記供給電力を制御する電力制御信号を電気伝送路を介して前記光受信部に送信し、
前記光受信部は、前記電力制御信号に基づいて、前記光受信部への供給電力を制御する受信側制御部を有する請求項１に記載の信号伝送装置。
【請求項４】
前記光送信部は、前記上位装置から前記上位装置と前記光送信部との接続状態を示す接続状態信号を受信し、
前記制御部は、前記接続状態信号と前記動作状態信号とに基づいて、前記供給電力を制御する請求項１から３のいずれか１項に記載の信号伝送装置。
【請求項５】
さらに、画像光信号を前記光送信部及び前記光受信部間で伝送する光伝送路と、
前記制御部による前記供給電力を制御する電力制御信号を前記光送信部及び前記光受信部間で伝送する電気伝送路とを備えた請求項１から４のいずれか１項に記載の信号伝送装置。
【請求項６】
上位装置から入力された画像電気信号を画像光信号に変換して光伝送路を介して送信する光送信部と、
前記光伝送路を介して前記光送信部から送信された前記画像光信号を受信し、その受信した画像光信号を画像電気信号に変換して表示装置に出力する光受信部と、
前記上位装置から前記表示装置に送信される前記表示装置の動作状態の切り替えを指示する指示信号に基づいて、前記光送信部及び前記光受信部の少なくとも一方への供給電力を制御する制御部とを備えた信号伝送装置。
【請求項７】
上位装置から入力された画像電気信号を画像光信号に変換する電気／光変換部と、
前記電気／光変換部により変換された画像光信号を光伝送路を介して送信する送信部と、
表示装置の動作状態を示す動作状態信号に基づいて、前記電気／光変換部への供給電力を制御する制御部とを備えた信号送信装置。
【請求項８】
光伝送路を介して入力された画像光信号を受信する受信部と、
前記受信部により受信された前記画像光信号を画像電気信号に変換して表示装置に出力する光／電気変換部と、
前記表示装置の動作状態を示す動作状態信号に基づいて、前記光／電気変換部への供給電力を制御する制御部とを備えた信号受信装置。
【発明の詳細な説明】
【技術分野】
【０００１】
本発明は、信号伝送装置、信号送信装置及び信号受信装置に関する。
【背景技術】
【０００２】
従来、信号発生装置がデータ伝送を必要とするときに、低消費電力化を図るようにした光送信器が知られている（例えば、特許文献１参照。）。
【０００３】
この光送信器によれば、信号発生装置からの電気信号に基づいて発光素子を駆動する駆動回路と、駆動回路とその駆動回路に供給される電源との接続をオンオフするスイッチとを備え、そのスイッチのオンオフは、信号発生装置からの制御信号に基づいて行うように構成されている。
【特許文献１】特開２００３−６０５７１号公報
【発明の開示】
【発明が解決しようとする課題】
【０００４】
本発明の目的は、表示装置の動作状態に基づいて、光送信部又は光受信部の消費電力を低減することができる信号伝送装置、信号送信装置及び信号受信装置を提供することにある。
【課題を解決するための手段】
【０００５】
本発明の一態様は、上記目的を達成するため、以下の信号伝送装置、信号送信装置及び信号受信装置を提供する。
【０００６】
［１］上位装置から入力された画像電気信号を画像光信号に変換して光伝送路を介して送信する光送信部と、前記光伝送路を介して前記光送信部から送信された前記画像光信号を受信し、その受信した画像光信号を画像電気信号に変換して表示装置に出力する光受信部と、前記表示装置の動作状態を示す動作状態信号に基づいて、前記光送信部及び前記光受信部の少なくとも一方への供給電力を制御する制御部とを備えた信号伝送装置。
【０００７】
［２］前記制御部は、前記光受信部に設けられた受信側制御部であり、前記受信側制御部は、前記動作状態信号に基づいて、前記光受信部への供給電力を制御するとともに、前記供給電力を制御する電力制御信号を電気伝送路を介して前記光送信部に送信し、前記光送信部は、前記電力制御信号に基づいて、前記光送信部への供給電力を制御する送信側制御部を有する前記［１］に記載の信号伝送装置。
【０００８】
［３］前記制御部は、前記光送信部に設けられた送信側制御部であり、前記送信側制御部は、前記動作状態信号に基づいて、前記光送信部への供給電力を制御するとともに、前記供給電力を制御する電力制御信号を電気伝送路を介して前記光受信部に送信し、前記光受信部は、前記電力制御信号に基づいて、前記光受信部への供給電力を制御する受信側制御部を有する前記［１］に記載の信号伝送装置。
【０００９】
［４］前記光送信部は、前記上位装置から前記上位装置と前記光送信部との接続状態を示す接続状態信号を受信し、前記制御部は、前記接続状態信号と前記動作状態信号とに基づいて、前記供給電力を制御する前記［１］から［３］のいずれかに記載の信号伝送装置。
【００１０】
［５］さらに、画像光信号を前記光送信部及び前記光受信部間で伝送する光伝送路と、前記制御部による前記供給電力を制御する電力制御信号を前記光送信部及び前記光受信部間で伝送する電気伝送路とを備えた前記［１］から［４］のいずれかに記載の信号伝送装置。
【００１１】
［６］上位装置から入力された画像電気信号を画像光信号に変換して光伝送路を介して送信する光送信部と、前記光伝送路を介して前記光送信部から送信された前記画像光信号を受信し、その受信した画像光信号を画像電気信号に変換して表示装置に出力する光受信部と、前記上位装置から前記表示装置に送信される前記表示装置の動作状態の切り替えを指示する指示信号に基づいて、前記光送信部及び前記光受信部の少なくとも一方への供給電力を制御する制御部とを備えた信号伝送装置。
【００１２】
［７］上位装置から入力された画像電気信号を画像光信号に変換する電気／光変換部と、前記電気／光変換部により変換された画像光信号を光伝送路を介して送信する送信部と、表示装置の動作状態を示す動作状態信号に基づいて、前記電気／光変換部への供給電力を制御する制御部とを備えた信号送信装置。
【００１３】
［８］光伝送路を介して入力された画像光信号を受信する受信部と、前記受信部により受信された前記画像光信号を画像電気信号に変換して表示装置に出力する光／電気変換部と、前記表示装置の動作状態を示す動作状態信号に基づいて、前記光／電気変換部への供給電力を制御する制御部とを備えた信号受信装置。
【発明の効果】
【００１４】
請求項１に係る信号伝送装置によれば、表示装置の動作状態に基づいて、光送信部又は光受信部の消費電力を低減することができる。
【００１５】
請求項２に係る信号伝送装置によれば、光受信部に制御部を設けることにより、表示装置から動作状態信号を受信する構成を簡略化することができる。
【００１６】
請求項３に係る信号伝送装置によれば、光送信部が主となって、供給電力を制御することができる。
【００１７】
請求項４に係る信号伝送装置によれば、表示装置の動作状態に加え、上位装置との接続状態に基づいて、光送信部又は光受信部の消費電力を低減することができる。
【００１８】
請求項５に係る信号伝送装置によれば、光送信部と光受信部との間を光伝送路及び電気伝送路によりそれぞれ接続することができる。
【００１９】
請求項６に係る信号伝送装置によれば、表示装置に対する指示信号に基づいて、光送信部又は光受信部の消費電力を低減することができる。
【００２０】
請求項７に係る信号送信装置によれば、表示装置の動作状態に基づいて、電気／光変換部の消費電力を低減することができる。
【００２１】
請求項８に係る信号受信装置によれば、表示装置の動作状態に基づいて、光／電気変換部の消費電力を低減することができる。
【発明を実施するための最良の形態】
【００２２】
［第１の実施の形態］
図１は、本発明の第１の実施の形態に係る画像表示システムの一例を示す全体図である。この画像表示システム１００は、上位装置としての第１及び第２のホストコンピュータ４Ａ，４Ｂと、第１及び第２のホストコンピュータ４Ａ，４Ｂからの画像信号、音声信号及び制御信号に基づいて画像表示、音声出力を行う画像表示装置５と、第１及び第２のホストコンピュータ４Ａ，４Ｂにそれぞれ接続された送信モジュール（光送信部）２と、光ファイバ（光伝送路）１０及びメタルケーブル（電気伝送路）１１を介して送信モジュール２に接続されるとともに、画像表示装置５に接続された受信モジュール（光受信部）３とから構成されている。なお、送信モジュール２及び受信モジュール３は、信号伝送装置１を構成する。
【００２３】
画像表示システム１００の利用形態としては、例えば、駅、学校、病院等の施設において、第１及び第２のホストコンピュータ４Ａ，４Ｂと画像表示装置５とが距離の離れた場所に設置される。
【００２４】
第１のホストコンピュータ４Ａは、ＤＶＩコネクタ、ステレオミニジャック等の外部出力用のコネクタを有し、画像及び音声が記録された画像データを再生する画像再生プログラム等に従って動作することにより、画像信号及び音声信号を外部に出力する。
【００２５】
第２のホストコンピュータ４Ｂは、例えば、Ｄ−Ｓｕｂ９ピンコネクタを有し、画像表示装置５を制御する遠隔操作プログラムに従って動作することにより、ユーザからの操作やユーザにより設定されたタイマ等に応じて、画像表示装置５の電源のオンオフの切り替え、又は画像表示装置５の動作状態（詳細は後述）の切り替え等を指示する制御信号を外部に出力する。なお、第１のホストコンピュータ４Ａが、第２のホストコンピュータ４Ｂの機能を兼ね備えて、制御信号を送信するようにしてもよい。
【００２６】
送信モジュール２は、第１のホストコンピュータ４ＡからＤＶＩケーブル１２Ａ及び音声ケーブル１３Ａを介して画像信号及び音声信号が入力され、第２のホストコンピュータ４Ｂから制御ケーブル１４Ａを介して制御信号が入力される。また、送信モジュール２は、画像信号を光信号（画像光信号）に変換して、その光信号を光ファイバ１０を介して送信するとともに、音声信号及び制御信号に基づく電気信号をメタルケーブル１１を介して送信する。
【００２７】
受信モジュール３は、送信モジュール２から光ファイバ１０を介して光信号を受信するとともに、メタルケーブル１１を介して電気信号を受信する。また、受信モジュール３は、ＤＶＩケーブル１２Ｂ、音声ケーブル１３Ｂ、制御ケーブル１４Ｂ及び状態信号ケーブル１５を介して画像表示装置５に接続され、その受信した光信号を変換した画像信号、電気信号に基づく音声信号及び制御信号を画像表示装置５に出力する。
【００２８】
外部電源装置６Ａ，６Ｂは、例えば、ＡＣアダプタであり、１００ＶのＡＣ電源から６ＶのＤＣ電源に変換し、そのＤＣ電源を送信モジュール２及び受信モジュール３にそれぞれ供給する。
【００２９】
光ファイバ１０は、光信号として、ＤＶＩ（Digital Visual Interface）の規格に基づくＲ，Ｇ，Ｂからなる３つのＲ，Ｇ，Ｂ信号と、クロック信号とを伝送するため、それらのビット数に合わせて４本具備される。光ファイバ１０は、例えば、コア径が５０μｍのマルチモード光ファイバ（Multi Mode Fiber）であり、１０ｍ以上の長さを有する。
【００３０】
メタルケーブル１１は、電気信号を送信モジュール２と受信モジュール３との間で双方向に伝送する電気伝送路であり、例えば、カテゴリー５のＵＴＰケーブルを用いることができる。
【００３１】
画像表示装置５は、ＤＶＩの規格に対応した、例えば、ＰＤＰ（Plasma Display Panel）、ＬＣＤ（Liquid Crystal Display）等からなる表示部５ａを備え、更にこの表示部５ａを制御する表示制御回路、音声増幅回路、スピーカ、及び電源回路（いずれも図示せず）を備えて構成されている。
【００３２】
表示制御回路は、第２のホストコンピュータ４Ｂからの制御信号に基づいて、通常状態及びスタンバイ状態からなる動作状態を切り替えて、その切り替えた動作状態を示す動作状態信号を状態信号ケーブル１５を介して受信モジュール３に送信する。
【００３３】
ここで、「通常状態」とは、画像信号及び音声信号に基づく画像表示及び音声出力が可能な状態であり、「スタンバイ状態」とは、表示部５ａへの供給電力をオフ又は低下させて、画像表示を一旦中断した状態である。なお、動作状態の切り替えは、制御信号の他に、例えば、画像表示装置５が有するリモコンによる遠隔操作や画像表示装置５が有する操作ボタンによる直接操作に基づいて行われてもよい。
【００３４】
（送信モジュールの構成）
図２は、送信モジュール２の概略構成を示すブロック図である。この送信モジュール２は、ＤＶＩコネクタ２０Ａ、音声コネクタ２０Ｂ、ＲＳ２３２Ｃコネクタ２０Ｃ、電源部２１、電気／光変換部２２、ディスプレイ信号Ｉ／Ｆ部２３Ａ、音声信号Ｉ／Ｆ部２３Ｂ、制御信号Ｉ／Ｆ部２３Ｃ、符号化／復号化制御部２４、差動信号Ｉ／Ｆ部２５、差動信号コネクタ２６及びスイッチ２７を備える。
【００３５】
ＤＶＩコネクタ２０Ａ、音声コネクタ２０Ｂ及びＲＳ２３２Ｃコネクタ２０Ｃは、それぞれＤＶＩケーブル１２Ａ、音声ケーブル１３Ａ、制御ケーブル１４Ａに接続される。
【００３６】
ＤＶＩコネクタ２０Ａは、上述のＲ，Ｇ，Ｂ信号、クロック信号の他に、ＤＤＣ（Display Data Channel）  ５Ｖ信号、ＤＤＣ  ＣＬＫ（Clock）信号、ＤＤＣ  Ｄａｔａ信号及びＨＰＤ（Hot Plug Detect）信号が入力される複数のピンを有する。
【００３７】
なお、ＤＤＣ  ＣＬＫ信号及びＤＤＣ  Ｄａｔａ信号は、第１のホストコンピュータ４Ａが画像表示装置５で表示可能な解像度などのプロパティ情報等を得るためのディスプレイ信号であり、ＤＤＣ  ５Ｖ信号とＨＰＤ信号は、第１のホストコンピュータ４Ａと画像表示装置５との接続状態を確認するための接続状態信号である。
【００３８】
音声コネクタ２０Ｂは、例えば、ステレオミニジャック等の形状を有し、右側音声用のピンＲと、左側音声用のピンＬとを備える。
【００３９】
ＲＳ２３２Ｃコネクタ２０Ｃは、例えば、Ｄ−Ｓｕｂ９ピンコネクタであり、ホストコンピュータ４Ａから画像表示装置５への下り方向の制御信号が入力されるピンＲｘＤと、画像表示装置５からホストコンピュータ４Ａへの上り方向の制御信号が出力されるピンＴｘＤと、グラウンド用のピンＧＮＤと、送信要求用のピンＲＴＳと、送信可能用のピンＣＴＳとを備える。本実施の形態では、ピンＲＴＳと、ピンＣＴＳとが接続されている。
【００４０】
電源部２１は、外部電源装置６Ａから送られるＤＣ電源を複数の電圧値の電圧に変換し、変換した電圧を送信モジュール２の各部の駆動電圧に合わせて供給する。
【００４１】
電気／光変換部２２は、Ｒ，Ｇ，Ｂ信号、クロック信号をそれぞれ波形整形するバッファ回路と、波形整形された信号をそれぞれ光信号として出力する、例えば、面発光型レーザ等の４つの発光素子と、４つの発光素子を駆動する駆動回路と、光ファイバ１０に接続される、例えば、ＬＣコネクタ、ＳＣコネクタ等の光コネクタとを備える。
【００４２】
ディスプレイ信号Ｉ／Ｆ部２３Ａは、ＤＶＩコネクタ２０Ａと符号化／復号化制御部２４とに接続され、ＤＶＩコネクタ２０Ａから入力されるディスプレイ信号（ＤＤＣ  ＣＬＫ信号、ＤＤＣ  Ｄａｔａ信号）からディスプレイデータを取得し、そのディスプレイデータを符号化／復号化制御部２４に出力する。また、ディスプレイ信号Ｉ／Ｆ部２３Ａは、符号化／復号化制御部２４から入力されるディスプレイデータをディスプレイ信号としてＤＶＩコネクタ２０Ａに出力する。
【００４３】
音声信号Ｉ／Ｆ部２３Ｂは、音声コネクタ２０Ｂと符号化／復号化制御部２４とに接続され、音声コネクタ２０ＢのピンＲ，Ｌから入力されたアナログの音声信号をサンプリング周波数、例えば、４４．１ｋＨｚによりピンＲ，Ｌ各１６ビットのデジタルの音声データに変換し、その音声データを符号化／復号化制御部２４に出力する。
【００４４】
制御信号Ｉ／Ｆ部２３Ｃは、ＲＳ２３２Ｃコネクタ２０Ｃと符号化／復号化制御部２４とに接続され、ＲＳ２３２Ｃコネクタ２０ＣのピンＲｘＤから入力される制御信号を、制御データとして符号化／復号化制御部２４に出力する。また、符号化／復号化制御部２４から入力される制御データをピンＴｘＤに制御信号として出力する。
【００４５】
符号化／復号化制御部２４は、ディスプレイ信号Ｉ／Ｆ部２３Ａ、音声信号Ｉ／Ｆ部２３Ｂ及び制御信号Ｉ／Ｆ部２３Ｃからそれぞれ入力されたディスプレイデータ、音声データ、制御データを受信モジュール３側で識別可能なヘッダをそれぞれ付加してパケットに符号化する。また、符号化／復号化制御部２４は、受信モジュール３側から送信されたパケットを復号化することによりディスプレイデータ及び制御データを取得し、ディスプレイ信号Ｉ／Ｆ部２３Ａ及び制御信号Ｉ／Ｆ部２３Ｃにそれぞれ出力する。
【００４６】
受信モジュール３側から送信されるパケットには、上記のディスプレイデータ及び制御データの他に、電気／光変換部２２への供給電力を制御する電力制御信号として、通常モード及び省電力モードのうちどちらの電力モードに切り替えるかを示す電力モード切替信号が含まれており、符号化／復号化制御部２４は、その電力モード切替信号をスイッチ２７に出力する。
【００４７】
また、符号化／復号化制御部２４は、受信モジュール３との間において、光伝送路及び電気伝送路に関するエラー検出処理を行う機能を有する。なお、エラー検出処理の詳細については後述する。
【００４８】
差動信号Ｉ／Ｆ部２５は、符号化／復号化制御部２４により符号化されたパケットを例えば、ＲＳ−４２２、ＲＳ４８５等の差動信号を用いたデータ伝送を行う。ここで、各信号の伝送に必要な帯域は、ディスプレイ信号は最大４００ｋｂｐｓ、制御信号は２０ｋｂｐｓ、音声信号は１．５Ｍｂｐｓ程度であるため、時分割多重を行うことにより、差動信号Ｉ／Ｆ部２５の伝送帯域は、例えば、２．４Ｍｂｐｓとすることができる。差動信号コネクタ２６は、ＲＪ４５コネクタ等の形状を有する。
【００４９】
スイッチ２７は、符号化／復号化制御部２４からの電力モード切替信号に応じて、電源部２１から電気／光変換部２２に供給される供給電力のオンオフを切り替える。すなわち、オンの際には電源部側端子２７０と変換部側端子２７１とを接続し、オフの際には両端子２７０，２７１とを接触しない。
【００５０】
なお、スイッチ２７は、供給電力のオンオフを切り替える代わりに、供給電力のレベルを、通常レベルと通常レベルよりも低い省電力レベルとで切り替えるようにしてもよい。また、電気／光変換部２２が消費電力のモードを切り替える機能を有する場合には、電力モード切替信号をスイッチ２７ではなく、電気／光変換部２２に入力するようにしてもよい。
【００５１】
（受信モジュールの構成）
図３は、受信モジュール３の概略構成を示すブロック図である。この受信モジュール３は、ＤＶＩコネクタ３０Ａ、音声コネクタ３０Ｂ、ＲＳ２３２Ｃコネクタ３０Ｃ、状態信号コネクタ３０Ｄ、電源部３１、光／電気変換部３２、ディスプレイ信号Ｉ／Ｆ部３３Ａ、音声信号Ｉ／Ｆ部３３Ｂ、制御信号Ｉ／Ｆ部３３Ｃ、符号化／復号化制御部３４、差動信号Ｉ／Ｆ部３５、差動信号コネクタ３６、スイッチ３７及び電力モード制御部（受信側制御部）３８を備える。
【００５２】
ＤＶＩコネクタ３０Ａ、音声コネクタ３０Ｂ、ＲＳ２３２Ｃコネクタ３０Ｃ及び状態信号コネクタ３０Ｄは、それぞれＤＶＩケーブル１２Ｂ、音声ケーブル１３Ｂ、制御ケーブル１４Ｂ及び状態信号ケーブル１５にそれぞれ接続される。なお、ＤＶＩコネクタ３０Ａ、音声コネクタ３０Ｂ及びＲＳ２３２Ｃコネクタ３０Ｃは、送信モジュール２のＤＶＩコネクタ２０Ａ、音声コネクタ２０Ｂ及びＲＳ２３２Ｃコネクタ２０Ｃと同様のピン構成を有する。
【００５３】
状態信号コネクタ３０Ｄは、画像表示装置５からの動作状態信号が入力され、その動作状態信号を電力モード制御部３８に出力する。
【００５４】
電源部３１は、外部電源装置６Ｂから送られるＤＣ電源を、複数の電圧値の電圧に変換し、変換した電圧を受信モジュール３の各部に合わせて供給する。
【００５５】
光／電気変換部３２は、光ファイバ１０に接続される光コネクタと、光コネクタを介して受信した４つの光信号を微小電流にそれぞれ変換する、例えば、フォトダイオード等の４つの受光素子と、４つの受光素子による微小電流を電圧に変換し、その電圧を増幅する増幅回路とを備え、増幅回路により増幅したＲ，Ｇ，Ｂ信号、クロック信号をＤＶＩコネクタ３０Ａに出力する。
【００５６】
差動信号Ｉ／Ｆ部３５は、差動信号コネクタ３６を介して送信モジュール２により送信された差動電気信号からパケットを取り出して、そのパケットを符号化／復号化制御部３４に出力する。また、差動信号Ｉ／Ｆ部３５は、符号化／復号化制御部３４により符号化されたパケットを送信する。
【００５７】
符号化／復号化制御部３４は、差動信号Ｉ／Ｆ部３５から入力されたパケットを順次復号化し、パケットのヘッダに基づいてディスプレイデータ、音声データ及び制御データを取得する。符号化／復号化制御部３４は、その取得したデータに応じて、ディスプレイデータをディスプレイ信号Ｉ／Ｆ部３３Ａに、音声データを音声信号Ｉ／Ｆ部３３Ｂに、制御データを制御信号Ｉ／Ｆ部３３Ｃにそれぞれ出力する。
【００５８】
符号化／復号化制御部３４は、ディスプレイ信号Ｉ／Ｆ部３３Ａ及び制御信号Ｉ／Ｆ部３３Ｃからそれぞれ入力されたディスプレイデータ及び制御データをパケットに順次符号化する。また、符号化／復号化制御部３４は、電力モード制御部３８からの電力モード切替信号についてもパケットに符号化し、符号化したパケットは、差動信号Ｉ／Ｆ部３５に出力される。また、符号化／復号化制御部３４は、送信モジュール２の符号化／復号化制御部２４との間においてエラー検出処理を行う機能を有する。
【００５９】
ディスプレイ信号Ｉ／Ｆ部３３Ａは、ＤＶＩコネクタ３０Ａと符号化／復号化制御部３４に接続され、ＤＶＩコネクタ３０Ａから入力されるディスプレイ信号からディスプレイデータを取得し、そのディスプレイデータを符号化／復号化制御部３４に出力する。また、ディスプレイ信号Ｉ／Ｆ部３３Ａは、符号化／復号化制御部３４から入力されるディスプレイデータをディスプレイ信号としてＤＶＩコネクタ３０Ａに出力する。
【００６０】
音声信号Ｉ／Ｆ部３３Ｂは、音声コネクタ３０Ｂと符号化／復号化制御部３４に接続され、符号化／復号化制御部３４から入力された音声データをアナログの音声信号に変換し、その音声信号を音声コネクタ３０ＢのピンＲ，Ｌに出力する。
【００６１】
制御信号Ｉ／Ｆ部３３Ｃは、ＲＳ２３２Ｃコネクタ３０Ｃと符号化／復号化制御部３４に接続され、ＲＳ２３２Ｃコネクタ３０ＣのピンＲｘＤから入力される制御信号を符号化／復号化制御部３４に出力する。また、符号化／復号化制御部３４から入力される制御データをピンＴｘＤに出力する。
【００６２】
スイッチ３７は、電力モード制御部３８からの電力モード切替信号に応じて、電源部３１から光／電気変換部３２に供給される電源のオンオフを切り替える。
【００６３】
電力モード制御部３８は、状態信号コネクタ３０Ｄから入力される動作状態信号に基づいて、電力モードの判定を行い、その判定結果を電力モード切替信号として、符号化／復号化制御部３４及びスイッチ３７に出力する。なお、本実施の形態では、電力モードを切り替える対象は、電気／光変換部２２及び光／電気変換部３２の両方であるが、いずれか一方でもよい。
【００６４】
（第１の実施の形態の動作）
次に、画像表示システム１００の動作について以下に説明する。
【００６５】
まず、ユーザは、図１に例示するように、第１及び第２のホストコンピュータ４Ａ，４Ｂ、送信モジュール２、受信モジュール３並びに画像表示装置５を各ケーブルによりそれぞれ接続する。さらに、外部電源装置６Ａ，６Ｂを送信モジュール２及び受信モジュール３にそれぞれ接続するとともに、ＡＣ１００Ｖに接続する。
【００６６】
その後、ユーザは、第１及び第２のホストコンピュータ４Ａ，４Ｂと画像表示装置５との電源をオンにする。そして、第１のホストコンピュータ４Ａにより、画像再生プログラムを起動して画像データの再生を指示すると、第１のホストコンピュータ４Ａは、画像データに基づく画像信号及び音声信号を生成し、ＤＶＩケーブル１２Ａ及び音声ケーブル１３Ａを介して送信モジュール２にそれぞれ出力する。
【００６７】
第１のホストコンピュータ４Ａから出力された画像信号は、ＤＶＩコネクタ２０Ａを介して送信モジュール２に入力される。また、第１のホストコンピュータ４Ａから出力された音声信号は、音声コネクタ２０Ｂを介して送信モジュール２に入力される。
【００６８】
次に、送信モジュール２の電気／光変換部２２は、ＤＶＩコネクタ２０Ａに入力された画像信号のうちＲ，Ｇ，Ｂ信号、クロック信号に基づいて、駆動回路により４つの発光素子をそれぞれ駆動して、４つの光信号を光コネクタを介して光ファイバ１０に出力する。
【００６９】
そして、ディスプレイ信号Ｉ／Ｆ部２３Ａは、ＤＶＩコネクタ２０Ａに入力された画像信号のうちディスプレイ信号に基づいて、ディスプレイデータを取得し、符号化／復号化制御部２４に出力する。
【００７０】
また、音声信号Ｉ／Ｆ部２３Ｂは、音声コネクタ２０Ｂに入力された音声信号をサンプリング周波数によりピンＲ，Ｌ各１６ビットのデジタルの音声データに変換し、その音声データを符号化／復号化制御部２４に出力する。
【００７１】
次に、符号化／復号化制御部２４は、ディスプレイ信号Ｉ／Ｆ部２３Ａ及び音声信号Ｉ／Ｆ部２３Ｂにより出力されたディスプレイデータ及び音声データを、データの種類に応じたヘッダを付加したパケットに符号化し、そのパケットを差動信号Ｉ／Ｆ部２５及び差動信号コネクタ２６を介して、メタルケーブル１１に出力する。
【００７２】
次に、受信モジュールの光／電気変換部３２は、光ファイバ１０から入光した光信号を、受光素子により微小の電気信号に変換し、さらに増幅回路で増幅したＲ，Ｇ，Ｂ信号、クロック信号をＤＶＩコネクタ３０Ａに出力する。
【００７３】
また、符号化／復号化制御部３４は、メタルケーブル１１、差動信号コネクタ３６及び差動信号Ｉ／Ｆ部３５を介して入力されたパケットを復号化することにより、ディスプレイデータ及び音声データを取得する。そのディスプレイデータは、ディスプレイ信号Ｉ／Ｆ部３３Ａを介してディスプレイ信号としてＤＶＩコネクタ３０Ａに出力され、その音声データは、音声データＩ／Ｆ部３３Ｂを介して音声信号として音声コネクタ３０Ｂに出力される。
【００７４】
次に、画像信号及びディスプレイ信号は、ＤＶＩケーブル１２Ｂを介して画像表示装置５に送信され、音声信号は、音声ケーブル１３Ｂを介して画像表示装置５に送信される。
【００７５】
画像表示装置５は、送信された画像信号及びディスプレイ信号に基づいて、表示制御回路により画像処理を行って表示部５ａに画像を表示するともに、音声増幅回路により音声信号を増幅してスピーカから音声を出力する。
【００７６】
（電力モードの制御）
このようにして、画像表示装置５による画像表示及び音声出力が行われるが、ユーザが、第２のホストコンピュータ４Ｂにおいて画像表示装置５に対する動作状態の切替操作を行った場合の動作について図４のフローチャートを参照して以下に説明する。
【００７７】
まず、ユーザが、第２のホストコンピュータ４Ｂにおいて遠隔操作プログラムを起動して、例えば、動作状態をスタンバイ状態に切り替えるように指示すると、第２のホストコンピュータ４Ｂは、その旨を示す制御信号を制御ケーブル１４Ａを介して送信モジュール２に出力する。
【００７８】
送信モジュール２に入力された制御信号は、制御信号Ｉ／Ｆ部３３Ｃにより制御データとして符号化／復号化制御部２４に送られる。そして、符号化／復号化制御部２４は、その制御データをパケットに符号化して、差動信号Ｉ／Ｆ部２５及び差動信号コネクタ２６を介してメタルケーブル１１に送信する。
【００７９】
送信モジュール２から送信されたパケットは、受信モジュール３の差動信号Ｉ／Ｆ部３５及び差動信号コネクタ３６を介して、符号化／復号化制御部３４に送られる。そして、符号化／復号化制御部３４は、そのパケットを復号化することにより制御データを取得し、制御信号Ｉ／Ｆ部３３Ｃを介してＲＳ２３２Ｃコネクタ３０Ｃに出力する。
【００８０】
そして、画像表示装置５は、制御ケーブル１４Ｂを介して制御信号を受け付ける。ここでは、その制御信号がスタンバイ状態に切り替えるように指示する信号であるため、画像表示装置５は、表示部５ａによる画像の表示を中断し、自らの動作状態をスタンバイ状態に切り替える。そして、画像表示装置５は、スタンバイ状態であることを示す動作状態信号を状態信号ケーブル１５を介して受信モジュール３に送信する（Ｓ１０）。
【００８１】
次に、受信モジュール３の電力モード制御部３８は、状態信号ケーブル１５を介して受信した動作状態信号に基づいて、電力モードの判定を行う（Ｓ２０）。具体的には、動作状態信号が通常状態を示すときは、電力モードを通常電力モードに切り替えると判定し、動作状態信号がスタンバイ状態を示すときは、電力モードを省電力モードに切り替えると判定する。
【００８２】
次に、電力モード制御部３８は、その判定結果に基づいて、電力モード切替信号を符号化／復号化制御部３４及びスイッチ３７に出力する。
【００８３】
そして、電力モード切替信号が入力された符号化／復号化制御部３４は、パケットに符号化して、そのパケットを送信モジュール２に送信する（Ｓ２１）。
【００８４】
次に、送信モジュール２の符号化／復号化制御部２４は、そのパケットを復号化することにより電力モード切替信号を受信すると、その電力モード切替信号をスイッチ２７に出力する。
【００８５】
そして、スイッチ２７は、電力モード切替信号に応じて、電気／光変換部２２への供給電力のオンオフを切り替える（Ｓ３０）。ここでは、電力モード切替信号は省電力モードを示すため、電気／光変換部２２への供給電力をオフする。
【００８６】
また、電力モード制御部３８から電力モード切替信号が入力された受信モジュール３のスイッチ３７においても、上記と同様に、電力モード切替信号に応じて、光／電気変換部３２への供給電力のオンオフを切り替える（Ｓ３１）。
【００８７】
（電気伝送路に関するエラー検出処理）
次に、電気伝送路、すなわち、メタルケーブル１１に関するエラー検出処理について図５のフローチャートを参照して説明する。
【００８８】
まず、送信モジュール２は、符号化／復号化制御部２４により、メタルケーブル１１による信号伝送が正常に動作しているかを確認すための確認コマンドを、例えば、一定の周期で受信モジュール３に対して発行する（Ｓ１０１）。そして、送信モジュール２は、受信モジュール３からの確認応答コマンドの受信待ち状態に移行する（Ｓ１０２）。
【００８９】
一方、受信モジュール３は、定常状態として、符号化／復号化制御部３４により送信モジュール２からの確認コマンド待ちの状態になっており（Ｓ２０１）、メタルケーブル１１を介して確認コマンドを受信すると（Ｓ２０１：Ｙｅｓ）、確認応答コマンドを送信モジュール２に送信する（Ｓ２０２）。
【００９０】
送信モジュール２は、受信モジュール３から確認応答コマンドを受信すると（Ｓ１０２：Ｙｅｓ）、所定時間が経過するまで待機し（Ｓ１０３）、受信モジュール３からの初期化コマンドを受信しているかを判定し（Ｓ１０９）、受信していない場合には（Ｓ１０９：Ｎｏ）、ステップＳ１０１に戻る。一方、初期化コマンドを受信している場合には（Ｓ１０９：Ｙｅｓ）、初期化処理を行う（Ｓ１１０）。
【００９１】
一方、送信モジュール２が、確認応答コマンドを受信しない場合には（Ｓ１０２：Ｎｏ）、所定時間が経過したか否かを判定する（Ｓ１０４）。そして、所定時間が経過していないと判定した場合には（Ｓ１０４：Ｎｏ）、ステップＳ１０２に戻る。
【００９２】
また、送信モジュール２が、所定時間が経過していると判定した場合には（Ｓ１０４：Ｙｅｓ）、カウント値のカウントアップを行い（Ｓ１０５）、カウント値が所定値以上であるか判定する（Ｓ１０６）。
【００９３】
そして、送信モジュール２が、カウント値が所定値以上でないと判定した場合には（Ｓ１０６：Ｎｏ）、上記の初期化コマンドの受信判定（Ｓ１０９）に戻る。
【００９４】
また、送信モジュール２が、カウント値が所定値以上であると判定した場合には（Ｓ１０６：Ｙｅｓ）、電気伝送路のエラーと判断し（Ｓ１０７）、初期化コマンドを受信モジュール３に対して発行する（Ｓ１０８）。そして、上記の初期化コマンドの受信判定（Ｓ１０９）に戻る。
【００９５】
受信モジュール３が、上記のステップＳ２０１において、確認コマンドを受信せず（Ｓ２０１：Ｎｏ）、所定時間が経過していない場合には（Ｓ２０３：Ｎｏ）、送信モジュール２からの初期化コマンドを受信しているかを判定し（Ｓ２０６）、受信していない場合には（Ｓ２０６：Ｎｏ）、ステップＳ２０１に戻る。一方、初期化コマンドを受信している場合には（Ｓ２０６：Ｙｅｓ）、初期化処理を行う（Ｓ２０７）。
【００９６】
一方、受信モジュール３が、所定時間が経過していると判定した場合には（Ｓ２０３：Ｙｅｓ）、電気伝送路のエラーと判断し（Ｓ２０４）、初期化コマンドを送信モジュール２に対して発行する（Ｓ２０５）。そして、上記の初期化コマンドの受信判定（Ｓ２０６）に戻る。
【００９７】
なお、電気伝送路のエラーが発生する原因としては、（ａ）メタルケーブル１１の断線や破損、（ｂ）メタルケーブル１１と差動信号コネクタ２６，３６との間の接続不良等が挙げられる。
【００９８】
（光伝送路に関するエラー検出処理）
次に、光伝送路、すなわち、光ファイバ１０に関するエラー検出処理について図６のフローチャートを参照して説明する。
【００９９】
まず、受信モジュール３は、光／電気変換部３２において光伝送路の異常があるか否かを判定する（Ｓ４０１）。具体的には、増幅回路により増幅したＲ，Ｇ，Ｂ信号、クロック信号の振幅を所定のしきい値と比較し、それらの振幅が所定のしきい値以下である場合には、異常があったものと判定する。
【０１００】
なお、光／電気変換部３２に入力される光量が小さくなる原因としては、（ａ）光ファイバ１０の断線や破損等により光信号が到達しない、（ｂ）電気／光変換部２２の発光素子の故障により発光しない、（ｃ）光ファイバ１０と光コネクタとの間の接続不良により光信号が到達しない等が挙げられる。
【０１０１】
次に、受信モジュール３が、異常を検出した場合には（Ｓ４０１：Ｙｅｓ）、異常検出コマンドを送信モジュール２に対して発行し（Ｓ４０２）、初期化を行う（Ｓ４０３）。
【０１０２】
次に、送信モジュール２が異常検出コマンドを受信すると（Ｓ３０１：Ｙｅｓ）、光伝送路のエラーと判断し（Ｓ３０２）、電気／光変換部２２による光信号の送信を停止する（Ｓ３０３）。
【０１０３】
次に、送信モジュール２は、第１又は第２のホストコンピュータ４Ａ，４Ｂに対して、光伝送路のエラーが発生した旨を通知すると、第１又は第２のホストコンピュータ４Ａ，４Ｂの有する表示部に、例えば、エラーメッセージを表示し、ユーザに対して初期化の実行を問い合わせる（Ｓ３０５）。
【０１０４】
そして、ユーザが初期化の実行を指示した場合には（Ｓ３０５：Ｙｅｓ）、送信モジュール２は初期化を行い、光信号の送信を再開する（Ｓ３０６）。一方、ユーザが初期化の実行を指示しなかった場合には（Ｓ３０５：Ｎｏ）、送信モジュール２は、エラー終了する（Ｓ３０７）。
【０１０５】
［第２の実施の形態］
第２の実施の形態に係る画像表示システムは、第１の実施の形態に係る画像表示システム１００において、受信モジュール３に電力モード制御部３８が設けられているのに対し、送信モジュール２に電力モード制御部が設けられている。
【０１０６】
（送信モジュールの構成）
図７は、本実施の形態の送信モジュール２の概略構成を示すブロック図である。この送信モジュール２は、第１の実施の形態に係る送信モジュール２と比較して、電力モード制御部（送信側制御部）２８を備える点を除き、基本的な構成及び機能は同様である。
【０１０７】
電力モード制御部２８は、画像表示装置５から受信モジュール３及びメタルケーブル１１を介して動作状態信号を受信するととともに、第１のホストコンピュータ４ＡからＤＶＩケーブル１２Ａを介して接続状態信号を受信する。そして、電力モード制御部２８は、その動作状態信号と接続状態信号とに基づいて、電力モードの判定を行い、その判定結果を電力モード切替信号として、符号化／復号化制御部２４及びスイッチ２７に出力する。
【０１０８】
図８は、本実施の形態の受信モジュール３の概略構成を示すブロック図である。この受信モジュール３は、第１の実施の形態に係る受信モジュール３と比較して、電力モード制御部３８を備えていない点を除き、基本的な構成及び機能は同様である。
【０１０９】
（第２の実施の形態の動作）
次に、本実施の形態に係る画像表示システムの動作について図９のフローチャートを参照して説明する。まず、画像表示装置５は、第１の実施の形態と同様に、動作状態を切り替える制御信号を受け付けて、自らの動作状態を切り替えた場合には、その切り替えた動作状態を示す動作状態信号を状態信号ケーブル１５を介して受信モジュール３に送信する（Ｓ１０）。
【０１１０】
次に、受信モジュール３の符号化／復号化制御部３４は、その動作状態信号をパケットに符号化して、そのパケットを送信モジュール２に送信する（Ｓ１１）。また、第１のホストコンピュータ４Ａは、接続状態信号を送信モジュール２に送信する（Ｓ１２）。
【０１１１】
次に、送信モジュール２の符号化／復号化制御部２４は、そのパケットを復号化することにより動作状態信号を受信すると、その動作状態信号とともに接続状態信号を電力モード制御部２８に送る。
【０１１２】
次に、電力モード制御部２８は、符号化／復号化制御部２４から送られた動作状態信号及び接続状態信号に基づいて、電力モードの判定を行う（Ｓ２０）。具体的には、動作状態信号が通常状態を示し、かつ接続状態信号が接続されていることを示すときは、電力モードを通常電力モードに切り替えると判定し、動作状態信号がスタンバイ状態を示すとき、又は接続状態信号が接続されていないことを示すときは、電力モードを省電力モードに切り替えると判定する。
【０１１３】
電力モード制御部２８は、その判定結果に基づいて、電力モード切替信号を符号化／復号化制御部２４及びスイッチ２７に出力する。
【０１１４】
そして、電力モード切替信号が入力された符号化／復号化制御部２４は、その電力モード切替信号を符号化したパケットを受信モジュール３に送信する（Ｓ２１）。
【０１１５】
次に、受信モジュール３の符号化／復号化制御部３４は、そのパケットにより電力モード切替信号を受信すると、その電力モード切替信号をスイッチ３７に出力する。
【０１１６】
そして、スイッチ３７は、電力モード切替信号に応じて、光／電気変換部３２への供給電力のオンオフを切り替える（Ｓ３１）。
【０１１７】
また、電力モード切替信号が入力されたスイッチ２７も、上記と同様に、電力モード切替信号に応じて、電気／光変換部２２への供給電力のオンオフを切り替える（Ｓ３０）。
【０１１８】
［第３の実施の形態］
第３の実施の形態に係る画像表示システムは、第２の実施の形態に係る画像表示システムにおいて、送信モジュール２が画像表示装置５からの動作状態信号に基づいて電力モードを制御していたのに対し、送信モジュール２が第２のホストコンピュータ４Ｂから送信される制御信号に基づいて電力モードを制御するものである。
【０１１９】
（送信モジュールの構成）
図１０は、本実施の形態の送信モジュール２の概略構成を示すブロック図である。この送信モジュール２は、第２の実施の形態に係る送信モジュール２と比較して、電力モード制御部２８に状態記憶部２８０を備える点を除き、基本的な構成及び機能は同様である。
【０１２０】
電力モード制御部２８は、第２のホストコンピュータ４Ｂから送信された制御信号（指示信号）が指示する動作状態を動作状態情報として記憶する状態記憶部２８０を備える。また、電力モード制御部２８は、その動作状態情報に基づいて、電力モードの判定を行い、その判定結果を電力モード切替信号として、符号化／復号化制御部２４及びスイッチ２７に出力する。
【０１２１】
図１１は、本実施の形態の受信モジュール３の概略構成を示すブロック図である。この受信モジュール３は、第２の実施の形態に係る受信モジュール３と比較して、状態信号コネクタ３０Ｄを備えていない点を除き、基本的な構成及び機能は同様である。
【０１２２】
（第３の実施の形態の動作）
次に、本実施の形態に係る画像表示システムの動作について図１２のフローチャートを参照して説明する。まず、第２のホストコンピュータ４Ｂが、例えば、ユーザからの操作を受け付けて、制御信号を制御ケーブル１４Ａを介して送信モジュール２に送信する（Ｓ１３）。
【０１２３】
次に、送信モジュール２の符号化／復号化制御部２４は、第２のホストコンピュータ４Ｂからの制御信号が入力されると、パケットに符号化し、メタルケーブル１１を介して受信モジュール３に送信する（Ｓ１４）。
【０１２４】
次に、受信モジュール３の符号化／復号化制御部３４は、送信モジュール２から送信されたパケットを復号化し、制御信号を画像表示装置５に送信する（Ｓ１５）。
【０１２５】
そして、画像表示装置５は、その制御信号を受信すると、その制御信号に基づいて動作状態を切り替える（Ｓ１６）。
【０１２６】
また、送信モジュール２の符号化／復号化制御部２４は、受信した制御信号を電力モード制御部２８に送り、電力モード制御部２８は、その制御信号が指示する動作状態を動作状態情報として状態記憶部２８０に記憶する（Ｓ１７）。
【０１２７】
次に、電力モード制御部２８は、その動作状態情報に基づいて、電力モードの判定を行う（Ｓ２０）。
【０１２８】
次に、電力モード制御部２８は、その判定結果に基づいて、電力モード切替信号を符号化／復号化制御部２４及びスイッチ２７に出力する。そして、電力モード切替信号が入力された符号化／復号化制御部２４は、その電力モード切替信号をパケットに符号化し、そのパケットを受信モジュール３に送信する（Ｓ２１）。
【０１２９】
次に、受信モジュール３の符号化／復号化制御部３４は、そのパケットを復号化することにより電力モード切替信号を受信すると、その電力モード切替信号をスイッチ３７に出力する。そして、スイッチ３７は、電力モード切替信号に応じて、光／電気変換部３２への供給電力のオンオフを切り替える（Ｓ３１）。
【０１３０】
また、電力モード切替信号が入力されたスイッチ２７も、上記と同様に、電力モード切替信号に応じて、電気／光変換部２２への供給電力のオンオフを切り替える（Ｓ３０）。
【０１３１】
［第４の実施の形態］
第４の実施の形態に係る画像表示システムは、第１の実施の形態に係る画像表示システムにおいて、受信モジュール３が状態信号コネクタ３０Ｄを備えていない点が異なる。
【０１３２】
図１３は、本実施の形態の受信モジュール３の概略構成を示すブロック図である。この受信モジュール３は、状態信号コネクタ３０Ｄを備えておらず、動作状態信号としてＤＶＩコネクタ３０Ａから入力されるＨＰＤ信号に基づいて、電力モードを制御する電力モード制御部３８を備える。その他の基本的な構成及び機能は、第１の実施の形態と同様である。
【０１３３】
電力モード制御部３８は、動作状態信号の代わりにＨＰＤ信号を用いたものであるが、この場合には、画像表示装置５の表示制御回路は、自らの動作状態をＨＰＤ信号に出力するように制御する。なお、ＨＰＤ信号の他に、ＤＤＣ  ５Ｖ信号を用いて構成してもよいし、ＨＰＤ信号及びＤＤＣ  ５Ｖ信号を併用してもよい。また、表示制御回路が、動作状態を示す制御信号をＲＳ２３２Ｃコネクタ３０Ｃに出力し、電力モード制御部３８は、そのＲＳ２３２Ｃコネクタ３０Ｃから入力される制御信号に基づいて電力モードを制御するようにしてもよい。
【０１３４】
［他の実施の形態］
なお、本発明は、上記各実施の形態に限定されず、その要旨を変更しない範囲内で種々変形実施が可能である。例えば、上記各実施の形態では、電力モード制御部を送信モジュール又は受信モジュールの一方に設けたが、電力モード制御部を送信モジュール又は受信モジュールの両方に設けてもよい。また、上記各実施の形態の構成要素を発明の要旨を変更しない範囲内で任意に組み合わせることができる。
【図面の簡単な説明】
【０１３５】
【図１】本発明の第１の実施の形態に係る画像表示システムの一例を示す全体図である。
【図２】送信モジュールの概略構成を示すブロック図である。
【図３】受信モジュールの概略構成を示すブロック図である。
【図４】第１の実施の形態の信号伝送装置が供給電力を制御する際の動作の一例を示すフローチャートである。
【図５】信号伝送装置が電気伝送路においてエラーを検出する際の動作の一例を示すフローチャートである。
【図６】信号伝送装置が光伝送路においてエラーを検出する際の動作の一例を示すフローチャートである。
【図７】第２の実施の形態の送信モジュールの概略構成を示すブロック図である。
【図８】第２の実施の形態の受信モジュールの概略構成を示すブロック図である。
【図９】第２の実施の形態の信号伝送装置が供給電力を制御する際の動作の一例を示すフローチャートである。
【図１０】第３の実施の形態の送信モジュールの概略構成を示すブロック図である。
【図１１】第３の実施の形態の受信モジュールの概略構成を示すブロック図である。
【図１２】第３の実施の形態の信号伝送装置が供給電力を制御する際の動作の一例を示すフローチャートである。
【図１３】第４の実施の形態の受信モジュールの概略構成を示すブロック図である。
【符号の説明】
【０１３６】
１…信号伝送装置、２…送信モジュール、３…受信モジュール、４Ａ，４Ｂ…ホストコンピュータ、５…画像表示装置、５ａ…表示部、６Ａ，６Ｂ…外部電源装置、１０…光ファイバ、１１…メタルケーブル、１２Ａ，１２Ｂ…ＤＶＩケーブル、１３Ａ，１３Ｂ…音声ケーブル、１４Ａ，１４Ｂ…制御ケーブル、１５…状態信号ケーブル、２０Ａ…ＤＶＩコネクタ、２０Ｂ…音声コネクタ、２０Ｃ…ＲＳ２３２Ｃコネクタ、２１…電源部、２２…電気／光変換部、２３Ａ…ディスプレイ信号Ｉ／Ｆ部、２３Ｂ…音声信号Ｉ／Ｆ部、２３Ｃ…制御信号Ｉ／Ｆ部、２４…符号化／復号化制御部、２５…差動信号Ｉ／Ｆ部、２６…差動信号コネクタ、２７…スイッチ、２８…電力モード制御部、３０Ａ…ＤＶＩコネクタ、３０Ｂ…音声コネクタ、３０Ｃ…ＲＳ２３２Ｃコネクタ、３０Ｄ…状態信号コネクタ、３１…電源部、３２…光／電気変換部、３３Ａ…ディスプレイ信号Ｉ／Ｆ部、３３Ｂ…音声信号Ｉ／Ｆ部、３３Ｃ…制御信号Ｉ／Ｆ部、３４…符号化／復号化制御部、３５…差動信号Ｉ／Ｆ部、３６…差動信号コネクタ、３７…スイッチ、３８…電力モード制御部、１００…画像表示システム、２７０…電源部側端子、２７１…変換部側端子、２８０…状態記憶部、３８０…電源部側端子、３８１…変換部側端子
【図１】
2009177600.tif 000003
【図２】
2009177600.tif 000004
【図３】
2009177600.tif 000005
【図４】
2009177600.tif 000006
【図５】
2009177600.tif 000007
【図６】
2009177600.tif 000008
【図７】
2009177600.tif 000009
【図８】
2009177600.tif 000010
【図９】
2009177600.tif 000011
【図１０】
2009177600.tif 000012
【図１１】
2009177600.tif 000013
【図１２】
2009177600.tif 000014
【図１３】
2009177600.tif 000015